(57)【要約】【課題】枕の高さ及び硬さを使用者の体格及び嗜好に合わせて変更でき、かつかかる変更が自在かつ容易に行うことができる枕を提供する【解決手段】詰物が充てんされた複数の区画を有する第１枕体と、前記第１枕体と上下に重なり合う第２枕体と、１つ以上のシートクッションとを備え、前記第１枕体と前記第２枕体のそれぞれの周縁の一部は折り曲げ可能に連結され、前記周縁の残部は互いに係合及び係脱が可能な周縁ファスナーを備えて分離自在に連結され、前記第１枕体は、前記第２枕体と相対する面において、前記複数の区画へと詰物を挿入する詰物挿入口と、前記詰物挿入口を開閉する挿入口ファスナーとを備え、前記詰物挿入口が開かれた状態において、前記複数の区画へと詰物を出し入れ自在であり、前記シートクッションは前記第１枕体と前記第２枕体との間に所望の枚数が配置されることを特徴とする枕。【選択図】図１
0003181946.tif 000002
【実用新案登録請求の範囲】
【請求項１】
詰物が充てんされた複数の区画を有する第１枕体と、
前記第１枕体と上下に重なり合う第２枕体と、
１つ以上のシートクッションとを備え、
前記第１枕体と前記第２枕体のそれぞれの周縁の一部は折り曲げ可能に連結され、前記周縁の残部は互いに係合及び係脱が可能な周縁ファスナーを備えて分離自在に連結され、
前記第１枕体は、前記第２枕体と相対する面において、前記複数の区画へと詰物を挿入する詰物挿入口と、前記詰物挿入口を開閉する挿入口ファスナーとを備え、
前記詰物挿入口が開かれた状態において、前記複数の区画へと詰物を出し入れ自在であり、
前記シートクッションは前記第１枕体と前記第２枕体との間に所望の枚数が配置される
ことを特徴とする枕。
【請求項２】
前記第２枕体の前記第１枕体と相対しない面の布地がメッシュ地であることを特徴とする請求項１に記載の枕。
【請求項３】
前記複数の区画は、使用者の頸部が位置する区画、頭部が位置する区画、各側頭部が位置する各区画であることを特徴とする請求項１に記載の枕。
【考案の詳細な説明】
【技術分野】
【０００１】
本考案は、枕に関し、より詳細には高さを自在に変更可能な枕に関する。
【背景技術】
【０００２】
近年、使用者の体格や嗜好に応じた様々なサイズを有する枕が開発、製造及び販売されている。
【０００３】
枕のサイズのうち、枕の高さや硬さについては、枕の内部を複数に区画し、各区画において、詰物の量を変更することにより、使用者の体格及び嗜好に対応させる技術が知られている（例えば、特許文献１）。
【０００４】
しかし、詰物の量を変更するためには、ファスナーで開閉可能とされた詰物の挿入口より、詰物の出し入れを行うこととなるが、そのファスナーが枕の上面や下面に設けられると、当該面のファスナーが頭部に接触して睡眠の妨げとなったり、枕の使用中に予期せずしてファスナーが開いてしまったりする場合があった。また、高さ変更のためには、詰物の量を変更する必要があるが、詰物の量を変更することは、高さの微調整を可能とするものの、詰物の出し入れに手間がかかるものであった。
【０００５】
また、枕の高さを容易に変更する方法として、枕にシート状のクッションを追加することによる枕の高さを変更する技術が知られている（例えば、特許文献２）。しかし、シートクッションによる高さ変更では、枕の中心部と端部、首に近い位置と遠い位置といった場所により、枕の高さの微調整を行うといったことはできない。
【先行技術文献】
【特許文献】
【０００６】
【特許文献１】特許第３８７３２２８号公報
【特許文献２】実用新案公告昭５７−４０８５７号公報
【考案の概要】
【考案が解決しようとする課題】
【０００７】
そこで、本考案においては、枕の高さ及び硬さを使用者の体格及び嗜好に合わせて変更でき、かつかかる変更が自在かつ容易に行うことができる枕を提供することを目的とする。
【課題を解決するための手段】
【０００８】
本考案の一実施形態における枕は、詰物が充てんされた複数の区画を有する第１枕体と、前記第１枕体と上下に重なり合う第２枕体と、１つ以上のシートクッションとを備え、前記第１枕体と前記第２枕体のそれぞれの周縁の一部は折り曲げ可能に連結され、前記周縁の残部は互いに係合及び係脱が可能な周縁ファスナーを備えて分離自在に連結され、前記第１枕体は、前記第２枕体と相対する面において、前記複数の区画へと詰物を挿入する詰物挿入口と、前記詰物挿入口を開閉する挿入口ファスナーとを備え、前記詰物挿入口が開かれた状態において、前記複数の区画へと詰物を出し入れ自在であり、前記シートクッションは前記第１枕体と前記第２枕体との間に所望の枚数が配置されることを特徴とする。
【０００９】
前記第２枕体の前記第１枕体と相対しない面の布地がメッシュ地であってもよい。
【００１０】
前記複数の区画は、使用者の頸部が位置する区画、頭部が位置する区画、各側頭部が位置する各区画であってもよい。
【考案の効果】
【００１１】
本考案に係る枕においては、枕の高さ及び硬さを使用者の体格及び嗜好に合わせて変更でき、かつかかる変更を自在に、かつ容易に行うことができる。また、挿入口ファスナーが枕の使用時には周縁ファスナーで区切られた枕の内部に位置するため、使用者の睡眠を妨げることや、使用時において予期せずファスナーが開いてしまうことがなく、枕の両面を使用することができる。シートクッションも枕の使用時には周縁ファスナーで区切られた枕の内部に位置するため、枕の使用中にずれてしまうことがない、という効果を有する。
【図面の簡単な説明】
【００１２】
【図１】本考案の一実施形態に係る枕の概要を示す平面図であり、第１枕体と第２枕体との互いに対向する面を示す図である。
【図２】本考案の一実施形態に係る枕のシートクッションの概要を示す平面図である。
【図３】本考案の一実施形態に係る枕の第１の枕体の概要を示す図であり、（ａ）は第１枕体の第２枕体と対向しない面の平面図であり、（ｂ）は側面図である。
【図４】本考案の一実施形態に係る枕の第２の枕体の概要を示す図であり、（ａ）は第２枕体の第１枕体と対向しない面の平面図であり、（ｂ）は側面図である。
【図５】本考案の一実施形態に係る枕の周縁ファスナーが配置された一側面の側面図である。
【図６】本考案の一実施形態に係る枕の周縁ファスナーが枕の周縁に飛び出さないよう設計された構成を説明するための図である。（ａ）は第１枕体の第２枕体と対向しない面の平面図であり、（ｂ）は第１枕体と第２枕体の各周縁ファスナーを係合した状態での側面図であり、（ｃ）は第２枕体の第１枕体と対向しない面の平面図である。
【考案を実施するための形態】
【００１３】
以下、図面を参照しながら、本考案の枕の実施形態について説明する。なお、本考案の枕は、以下の実施形態に限定されることはなく、種々の変形を行ない実施することが可能である。
【００１４】
図１は、本考案の一実施形態に係る枕の概要を示す平面図であり、第１枕体と第２枕体との互いに対向する面を示す図である。
【００１５】
図１を参照すると、本考案の一実施形態に係る枕は、第１枕体１００及び第２枕体２００から構成される。第１枕体１００と第２枕体２００とは、それぞれの周縁の一部において連結されている。本実施形態においては、Ａ−Ａ’間において連結されている。第１枕体１００と第２枕体２００とは連結されたＡ−Ａ’において折り曲げ可能であり、使用時には連結されたＡ−Ａ’において折り曲げた状態で第１枕体１００と第２枕体２００とを上下に重ね合って用いる。使用時においては、第１枕体１００と第２枕体２００のいずれが上部に位置してもよい。
【００１６】
連結されたＡ−Ａ’において折り曲げた状態においては、第１枕体１００と第２枕体２００の図１に示された面が、対向することになる。すなわち、第１枕体１００と第２枕体２００の図１に示された面は、連結されたＡ−Ａ’において折り曲げた状態においては、枕の内部に位置することとなる。
【００１７】
第１枕体１００は、連結されたＡ−Ａ’の箇所を除き、第１周縁ファスナー１１０を備え、第２枕体２００は、連結されたＡ−Ａ’の箇所を除き、第２周縁ファスナー２１０を備える。第１周縁ファスナー１１０と第２周縁ファスナー２１０とは係合及び係脱が可能であり係合することにより連結される。また、本実施形態に係る枕においては、第１周縁ファスナー１１０と第２周縁ファスナー２１０とが係合された状態においては、第１枕体１００及び第２枕体２００の周縁により取り囲まれた内部空間が形成される。
【００１８】
なお、本実施形態の変形例においては、第１枕体１００及び第２枕体２００が連結されず、第１周縁ファスナー１１０及び第２周縁ファスナー２１０が第１枕体１００及び第２枕体２００の周縁を全て取り囲んでもよい。この場合、第１周縁ファスナー１１０と第２周縁ファスナー２１０とを係脱することにより、第１枕体１００から第２枕体２００を取り外すことができる。
【００１９】
この内部空間には、図２に示すとおり、シートクッション３００を設置することができる。シートクッション３００は、ウレタン等で形成された、所望の厚さから成る板状のクッション素材である。シートクッション３００は、穴を有して通気性を高めてもよい。また、複数のシートクッション３００を内部空間に設置してもよく、異なる硬さ、厚さを有したシートクッション３００を組合せてもよい。
【００２０】
シートクッション３００を設置可能な内部空間を設け、ここに所望のシートクッション３００を所望の枚数設置することにより、簡便に枕の高さや硬さを変更することができ、使用者の体格や嗜好に合わせた枕の高さ及び硬さを簡便に得ることができる。
【００２１】
図１を再び参照すると、第１枕体１００は、複数の区画１２０ａ、１２０ｂ、１２０ｃ及び１２０ｄを有する。また、それぞれの区画１２０ａ〜１２０ｄにおいて、詰物挿入口１３０、詰物挿入口を開閉する挿入口ファスナー１４０を有する。
【００２２】
複数の区画１２０ａ〜１２０ｄは、それぞれ詰物挿入口１３０より詰物を出し入れ可能である。詰物は、プラスチック等の筒状体、綿、ウレタンの細片、そばがらその他一般的に枕の詰物として用いられる素材でよい。
【００２３】
詰物挿入口１３０には、挿入口ファスナー１４０が設けられ、挿入口ファスナー１４０を開けることにより、詰物挿入口１３０から詰物を充てん・取り出し可能となり、挿入口ファスナー１４０を閉じることにより、詰物挿入口１３０から詰物が出ない。
【００２４】
また、前記複数の区画の詰物挿入口付近に筒状の口布を設け、口布を介して区画１２０ａ〜１２０ｄの詰物を詰物挿入口から出し入れしてもよい。口布を有することにより、より詰物が予期せず各区画の外部に出てしまうことを防ぐとともに、口布を介して容易に詰物を各区画に充てんすることができる。
【００２５】
本実施形態においては、区画として、区画１２０ａ〜ｄを有する。例えば、区画１２０ａは頸部、区画１２０ｂは頭部、区画１２０ｃ及び区画１２０ｄはそれぞれ右側頭部、左側頭部に対応する位置に配置される。これにより、頸部と頭部の高さをそれぞれ使用者の体格と嗜好に応じて微調整することができる。なお、本実施形態の変形例として、区画を設ける場所、区画を設ける数を適宜変更してもよい。
【００２６】
また、第１枕体１００は、詰物挿入口１３０から充てんされる詰物のほか、ウレタンなどのクッション素材により形成された層を、より区画１２０ａ〜ｄよりも第２枕体２００と対向しない面に近い箇所へ有してもよい。また、第２枕体２００も同様に、ウレタンなどのクッション素材により形成された層を有してもよい。
【００２７】
図３は、本考案の一実施形態に係る枕の第１の枕体の概要を示す図であり、（ａ）は第１枕体の第２枕体と対向しない面の平面図であり、（ｂ）は側面図である。図４は、本考案の一実施形態に係る枕の第２の枕体の概要を示す図であり、（ａ）は第２枕体の第１枕体と対向しない面の平面図であり、（ｂ）は側面図である。
【００２８】
図３を参照すると、第１枕体１００の第２枕体２００と対向しない面、すなわち枕の外部面には、ファスナーが形成されておらず周縁にのみファスナーが形成されていることが分かる。また、図４を参照すると、第２枕体２００の第１枕体１００と対向しない面、すなわち枕の外部面には、ファスナーが形成されておらず周縁にのみファスナーが形成されていることが分かる。
【００２９】
以上の構成によれば、各区画１２０ａ〜１２０ｄへの詰物の充てん量を適宜変更することにより、枕の高さ及び硬さを使用者の体格及び嗜好に合わせて微調整も含めて変更できる。また、シートクッション３００により、容易に枕の高さ、硬さを変更できる。こうした構成の組合せにより、枕の高さ及び硬さを使用者の体格及び嗜好に合わせて自在に、かつ容易に変更することができる。また、挿入口ファスナー１４０が枕の使用時には第１周縁ファスナー１１０及び第２周縁ファスナー２１０で区切られた枕の内部に位置するため、使用者の睡眠を妨げることや、使用時において予期せず挿入口ファスナー１４０が開いてしまうことがなく、枕の両面を使用することができる。シートクッション３００も枕の使用時には周縁ファスナーで区切られた枕の内部に位置するため、枕の使用中にずれてしまうことがない、という効果を有する。
【００３０】
図４を再度参照すると、本実施形態においては、第２枕体２００の外部面の布地は、メッシュ地であってもよい。これにより、第２枕体２００の通気性が向上する。
【００３１】
なお、各図において、各周縁ファスナーは、説明の便宜上、枕の周縁部に飛び出している構成で記載しているが、第１枕体１００及び第２枕体２００の布地の長さを調整し、第１枕体１００及び第２枕体２００を重ね合わせた枕の使用時に周縁に飛び出さない設計とすることが可能であることは、当業者であれば理解できるところである。この場合、第１枕体１００及び第２枕体２００における各周縁ファスナーとの関係は図６のようになる。
【符号の説明】
【００３２】
１００  第１枕体
１１０  第１周縁ファスナー
１２０ａ、１２０ｂ、１２０ｃ、１２０ｄ  区画
１３０  詰物挿入口
１４０  挿入口ファスナー
２００  第２枕体
２１０  第２周縁ファスナー
２２０  メッシュ地
【図１】
0003181946.tif 000003
【図２】
0003181946.tif 000004
【図３】
0003181946.tif 000005
【図４】
0003181946.tif 000006
【図５】
0003181946.tif 000007
【図６】
0003181946.tif 000008